(57)【要約】【課題】  記録された映像とともに該映像の記録操作者を容易に確認することができる映像記録再生装置を提供する。【解決手段】  映像記録時には、ユーザはユーザ識別キーを操作して記録を開始する。映像記録再生部３はユーザ識別情報に基づいて、ハードディスク３０の映像記録領域にユーザ識別データとディジタル映像データとを記録する。映像再生時には、ユーザが再生操作を行うと、映像記録再生部３は、記録されているユーザ識別データに基づいて、該当ユーザの識別画像データをメモリ１１またはハードディスク３０のユーザ識別画像記録領域から読み出して映像出力部４に所定時間出力した後、映像データを映像出力部４に出力する。【選択図】  図１
2006013937.tif 000002
【特許請求の範囲】
【請求項１】
受信または入力された映像を、記録操作に応じて記録媒体に記録するとともに、再生操作に応じて記録された映像を再生する映像記録再生装置において、
ユーザを識別するユーザ識別情報毎に、編集手段により編集可能な識別画像を記録する前記記録媒体または前記識別画像を記憶する記憶手段と、
前記ユーザ識別情報を入力する複数の識別情報入力釦からなる識別情報入力手段を含む、前記記録操作および再生操作を行う操作手段と、
前記操作手段により前記ユーザ識別情報が入力されるとともに記録操作が行われると、受信または入力されている映像と前記ユーザ識別情報とを前記記録媒体に記録し、前記操作手段により再生操作が行われると、記録を行ったユーザのユーザ識別情報に応じた識別画像を出力した後再生映像を出力する映像記録再生手段とを備えたことを特徴とする映像記録再生装置。
【請求項２】
受信または入力された映像を、記録操作に応じて記録媒体に記録するとともに、再生操作に応じて記録された映像を再生する映像記録再生装置において、
ユーザを識別するユーザ識別情報毎に識別画像を記憶する記憶手段と、
ユーザ識別情報を入力する識別情報入力手段を含む、前記記録操作および再生操作を行う操作手段と、
前記操作手段により前記ユーザ識別情報が入力されるとともに記録操作が行われると、受信または入力されている映像と前記ユーザ識別情報とを前記記録媒体に記録し、前記操作手段により再生操作が行われると、記録を行ったユーザのユーザ識別情報に応じた識別画像を出力した後再生映像を出力する映像記録再生手段とを備えたことを特徴とする映像記録再生装置。
【請求項３】
受信または入力された映像を、記録操作に応じて記録媒体に記録するとともに、再生操作に応じて記録された映像を再生する映像記録再生装置において、
ユーザを識別するユーザ識別情報毎に識別画像を記憶する前記記録媒体と、
前記ユーザ識別情報を入力する識別情報入力手段を含む、前記記録操作および再生操作を行う操作手段と、
前記操作手段により前記ユーザ識別情報が入力されるとともに記録操作が行われると、受信または入力された映像と前記ユーザ識別情報とを前記記録手段に記録し、前記操作手段により再生操作が行われると、記録を行ったユーザのユーザ識別情報に応じて識別画像を出力した後再生映像を出力する映像記録再生手段とを備えたことを特徴とする映像記録再生装置。
【請求項４】
前記識別情報入力手段は、一釦操作でユーザ識別情報を入力する複数の識別情報入力釦からなる請求項２または請求項３に記載の映像記録再生装置。
【請求項５】
前記識別情報入力手段を操作することで、前記ユーザ識別情報の入力と映像の記録操作とを同時に行う請求項２〜４のいずれかに記載の映像記録再生装置。
【請求項６】
前記映像記録再生手段は、再生操作時に識別情報入力手段により入力されたユーザ識別情報に対応する記録映像を優先して再生する請求項２〜４のいずれかに記載の映像記録再生装置。
【請求項７】
前記識別画像を編集する編集手段を備えた請求項２〜６のいずれかに記載の映像記録再生装置。
【発明の詳細な説明】
【技術分野】
【０００１】
この発明は、受信または入力された映像を記録および再生する映像記録再生装置、特に、複数のユーザが共有して利用する映像記録再生装置に関するものである。
【背景技術】
【０００２】
従来より、テレビジョン放送等の映像を記録、再生する装置として、その記録媒体に光ディスクや磁気ディスクを利用したものが多く提供されている。しかしながら、これらの映像記録装置は比較的高価なため、各個人に一台ではなく、一世帯に一台等、複数のユーザで一台の映像記録再生装置を共有する場合が多い。このような場合、複数のユーザがそれぞれ個別に映像を共通の記録媒体に記録するため、記録された映像がどのユーザにより記録されたかが判別し難かった。
【０００３】
このため、ユーザが利用者ＩＤを入力したり、ユーザ識別情報を入力した後に映像の記録を行うことで、この利用者ＩＤやユーザ識別情報を記憶しておき、記録されている映像がどのユーザにより記録されたか判別したり、再生時に前記利用者ＩＤやユーザ識別情報を入力することで、自らが記録した映像のみを再生する装置が複数考案されている（例えば、特許文献１、特許文献２参照。）。
【特許文献１】特開２００２−１１８８０７号公報
【特許文献２】特開２００２−１３５７１０号公報
【発明の開示】
【発明が解決しようとする課題】
【０００４】
従来の利用者ＩＤ等で映像記録者を記憶しない映像記録再生装置では、上述のように記録されている映像が、どのユーザにより記録されたかを確認することができない。一方、利用者ＩＤや識別情報でユーザを識別して映像を記録する上述の映像記録再生装置では、記録媒体が共通であっても、ユーザ毎に記録した映像を管理することができるが、記録を行ったユーザのみしか記録された映像を再生することができず、他のユーザは、記録媒体にどのような映像が記録されているかを確認することができない。このため、異なるユーザが同じ映像を単一の記録媒体に記録してしまうこともあり、記録媒体の容量を無駄に使用することとなる。
【０００５】
この発明の目的は、記録された映像と該映像の記録操作者とを容易に確認することができる映像記録再生装置を提供することにある。
【課題を解決するための手段】
【０００６】
この発明は、受信または入力された映像を、記録操作に応じて磁気ディスク等の記録媒体に記録するとともに、再生操作に応じて記録された映像を再生する映像記録再生装置において、ユーザを識別するユーザ識別情報毎に識別画像を記憶する記憶手段と、ユーザ識別情報を入力する識別情報入力手段を含む、記録操作および再生操作を行う操作手段と、操作手段によりユーザ識別情報が入力されと映像記録操作が行われると指定された映像とともにユーザ識別情報を記録し、操作手段により映像再生操作が行われると、記録を行ったユーザのユーザ識別情報に応じた識別画像を出力した後再生映像を出力する映像記録再生手段とを備えたことを特徴としている。
【０００７】
また、この発明は、受信または入力された映像を、記録操作に応じて記録媒体に記録するとともに、再生操作に応じて記録された映像を再生する映像記録再生装置において、ユーザを識別するユーザ識別情報を入力する識別情報入力手段を含む、記録操作および再生操作を行う操作手段と、該操作手段によりユーザ識別情報が入力されるとともに映像記録操作が行われると指定された映像とユーザ識別情報とを記録媒体に記録し、操作手段により映像再生操作が行われると、記録を行ったユーザのユーザ識別情報に応じた識別画像を出力した後再生映像を出力する映像記録再生手段とを備え、ユーザ識別情報毎に設定された識別画像を記録媒体に記録したことを特徴としている。
【０００８】
これらの構成では、映像記録時にユーザ毎に異なるユーザ識別情報を入力することで、映像とともに該映像をどのユーザが記録したかがユーザ識別情報により記録される。そして、どのユーザが再生操作を行っても、このユーザ識別情報に応じて、記録を行ったユーザに対応する個別の識別画像を、再生映像の前に所定時間出力する。
【０００９】
また、この発明の映像記録再生装置は、識別情報入力手段を一釦操作でユーザ識別情報を入力する複数の識別情報入力釦から構成することを特徴としている。
【００１０】
この構成では、ユーザは一回の釦操作で識別情報を入力することができ、ユーザ識別情報の入力が容易になる。
【００１１】
また、この発明の映像記録再生装置は、識別情報入力手段を操作することで、ユーザ識別情報の入力と映像の記録開始操作とを同時に行うことを特徴としている。
【００１２】
この構成では、ユーザ識別情報の入力と映像の記録開始操作とを一つの入力手段で行うことができ、ユーザ識別情報を入力しながらの映像記録操作が容易になる。
【００１３】
また、この発明の映像記録再生装置は、記録映像再生時に識別情報入力手段を操作することにより、該識別情報入力手段により入力されたユーザ識別情報に対応する映像を優先して再生することを特徴としている。
【００１４】
この構成では、再生時にユーザ識別情報を入力することで、このユーザ識別情報に対応した記録映像が優先して再生されるので、ユーザは他のユーザが記録した映像に対して自ら記録した映像を優先的に再生し得る。
【００１５】
また、この発明の映像記録再生装置は、識別画像を編集する編集手段を備えたことを特徴としている。
【００１６】
この構成では、外部から画像を入力したり、予め記憶されている画像素材を編集することで、それぞれのユーザは対応するユーザ識別情報毎に任意の識別画像を形成して記録することができる。
【発明の効果】
【００１７】
この発明の映像記録再生装置によれば、映像記録時にユーザ毎に異なる識別情報を入力することで、記録された映像とともに該映像をどのユーザが記録したかを記憶することができる。そして、どのユーザが再生操作を行っても、この識別情報に応じて、記録を行ったユーザに対応する個別の識別画像を、再生映像の前に所定時間出力するので、再生を行ったユーザは記録された映像がどのユーザにより記録されたかを容易に確認することができる。
【００１８】
また、この発明の映像記録再生装置によれば、ユーザは一回の釦操作で識別情報を入力することができるので、識別情報の入力を容易に行える。
【００１９】
また、この発明の映像記録再生装置によれば、識別情報の入力と映像記録開始操作とを一開の入力操作で行うことができ、識別情報の入力と映像記録操作とを同時に且つ容易に行える。
【００２０】
また、この発明の映像記録再生装置によれば、再生時に識別情報を入力することで、ユーザはこの識別情報に対応した記録映像が優先的に再生されるので、自ら所望する記録映像を優先して容易に再生し得る。
【００２１】
また、この発明の映像記録再生装置によれば、外部から画像を入力したり、予め記憶されている画像を操作部を用いて編集し記憶しておくことで、それぞれのユーザは対応する識別情報毎に任意の識別画像を形成し、記憶することができる。これにより、さらに容易にユーザの確認が行える。
【発明を実施するための最良の形態】
【００２２】
本発明の実施形態に係る映像記録再生装置について図を参照して説明する。なお、本実施形態では、記録媒体として磁気ディスクを用いたハードディスク映像記録再生装置を例に説明する。
【００２３】
図１は本実施形態に係るハードディスク映像記録再生装置の主要部の構成を示すブロック図である。
【００２４】
図２は本実施形態に係る操作部のリモコンの概要を示す外観斜視図である。
【００２５】
図３は記録媒体（ハードディスク）に記録されているデータを模式化した図であり、（ａ）はディジタル映像データとユーザ識別データとを記録する場合を示し、（ｂ）はディジタル映像データとユーザ識別データとユーザ識別画像データとを記録する場合を示している。
【００２６】
図４は記録されたディジタル映像データを再生した場合に出力される画像および映像のタイムチャートを示す概要図である。
【００２７】
本実施形態に係る映像記録再生装置は、アンテナ５１に接続するテレビジョン放送受信部２、映像データをハードディスク３０に読み書きする映像記録再生部３、表示器５０に接続する映像出力部４、これらを制御する制御部１、リモコン６０や装置の前面等に備えられた複数の操作キーからなる操作部６、映像データを記録するハードディスク３０、制御部１に備えられたメモリ１１，外部の映像出力装置に接続し、映像を入力する外部入力部５から構成される。
【００２８】
リモコン６０には、電源キー６１や、図示していない通常の再生キー、停止キー、早送りキー等とともに、ユーザ識別キー６２ａ〜６２ｅが備えられており、これらユーザ識別キー６２ａ〜６２ｅを操作することで、ユーザ識別信号が制御部１に送信される。
【００２９】
この映像記録再生装置では、アンテナ５１で受信したテレビジョン放送信号をテレビジョン放送受信部２で受信し、操作部６でユーザにより選択されたチャンネルの映像信号を抽出して、所定の映像データに変換する。テレビジョン放送受信部２は、この変換された映像データを映像記録再生部３を介して映像出力部４に出力し、映像出力部４は、表示器５０の仕様に応じた映像信号に映像データを変換する。そして、映像出力部４は、この映像信号を表示器５０に出力し、表示器５０はこの映像信号に基づいて表示画面に映像を再生するとともに、スピーカで音声を再生する。
【００３０】
次に、この映像記録再生装置を用いてテレビジョン放送の映像を記録する方法を図３（ａ）を参照して説明する。なお、以下の説明では、ユーザ識別キー６２ａ〜６２ｅをそれぞれユーザＡ〜ユーザＥの五人に割り当てた場合について説明する。
【００３１】
ユーザＡがリモコン６０のユーザ識別キー６２ａを操作すると、リモコン６０は、ユーザ識別信号とともに映像記録開始命令を制御部１に送信する。制御部１はこの映像記録開始命令を受信して映像記録再生部２に出力するとともに、前記ユーザ識別信号に基づいてユーザ識別データを生成して映像記録再生部２に出力する。
【００３２】
映像記録再生部３は、テレビジョン放送受信部２から入力された映像データ（番組ａ）を、ＭＰＥＧ２形式等の所定形式のディジタル映像データに変換して、ハードディスク３０の映像記録領域３００の所定領域３０１ｂに記録する。ここで、映像記録再生部３はディジタル映像データの記録領域３０１ｂの先頭領域３０１ａに制御部１から入力されたユーザ識別データ（ユーザＡ）を記録する。
【００３３】
また、ユーザＢが番組ｂを記録する操作を行うと、映像記録再生部３は、領域３０２ａにユーザＢを示すユーザ識別データを記録するとともに領域３０２ｂに番組ｂのディジタル映像データを記録する。同様にこれ以降、ユーザＡを示すユーザ識別データを領域３０３ａに、番組ｃのディジタル映像データを領域３０３ｂに、そして、ユーザＥを示すユーザ識別データを領域３０４ａに、番組ｄのディジタル映像データを領域３０４ｂに、順に記録する。
【００３４】
次に、ハードディスク３０に記録されているディジタル映像データを再生する方法を、図３（ａ）および図４を参照して説明する。
【００３５】
ユーザがリモコン６０や操作部６を用いて再生操作を行うと、再生操作命令が制御部１に送信される。制御部１は、再生操作命令を受信すると映像記録再生部３に出力するとともに、映像記録再生部３を介してハードディスク３０に記録されているユーザ識別データを取得する。
【００３６】
制御部１に備えられたメモリ１１には、例えば、ユーザＡならば画像Ａ（全面ブルーの画像）、ユーザＢならば画像Ｂ（全面グレーの画像）、ユーザＥならば画像Ｅ（全面グリーンの画像）等のユーザそれぞれに個別の識別画像データが記憶されており、取得したユーザ識別データに応じて、各画像データを映像出力部４に出力する。例えば、図３（ａ）のようにディジタル映像データおよびユーザ識別データが記録されている場合、制御部１は、まずユーザＡを表す画像Ａ（全面ブルー画像）の識別画像データを一定時間、映像出力部４に出力する。その後、再生するディジタル映像データ（番組ａ）を出力する命令を映像記録再生部３に出力する。映像記録再生部３は、ハードディスク３０の領域３０１ｂに記録されている番組ａのディジタル映像データを読み出し、所定の映像データに変換して映像出力部４に出力する。映像出力部４は、制御部１から入力された画像Ａの識別画像データを所定の画像信号に変換して所定時間に亘り表示器５０に出力した後、映像記録再生部３から入力された番組ａの映像データを所定形式の映像信号に変換して表示器５０に出力する。
【００３７】
次に、番組ａの再生が終了すると、制御部１はユーザＢを表す画像Ｂ（全面グレー画像）の識別画像データを映像出力部４に出力する。そして、画像Ｂの出力が終了すると、映像記録再生部３は、ハードディスク３０の領域３０２ｂに記録されている番組ｂのディジタル映像データを読み出し、所定の映像データに変換して映像出力部４に出力する。映像出力部４は、制御部１から入力された画像Ｂの識別画像データを所定の画像信号に変換して所定時間に亘り表示器５０に出力した後、映像記録再生部２から入力された番組ｂの映像データを所定形式の映像信号に変換して表示器５０に出力する。
【００３８】
次に、番組ｂの再生が終了すると、制御部１はユーザＡを表す画像Ａ（全面ブルー画像）の識別画像データを映像出力部４に出力する。そして、画像Ａの出力が終了すると、映像記録再生部２は、ハードディスク３０の領域３０３ｂに記録されている番組ｃのディジタル映像データを読み出し、所定の映像データに変換して映像出力部４に出力する。映像出力部４は、制御部１から入力された画像Ａの識別画像データを所定の画像信号に変換して所定時間に亘り表示器５０に出力した後、映像記録再生部２から入力された番組ｃの映像データを所定形式の映像信号に変換して表示器５０に出力する。
【００３９】
次に、番組ｃの再生が終了すると、制御部１はユーザＥを表す画像Ｅ（全面グリーン画像）の識別画像データを映像出力部４に出力する。そして、画像Ｅの出力が終了すると、映像記録再生部２は、ハードディスク３０の領域３０４ｂに記録されている番組ｄのディジタル映像データを読み出し、所定の映像データに変換して映像出力部４に出力する。映像出力部４は、制御部１から入力された画像Ｅの識別画像データを所定の画像信号に変換して所定時間に亘り表示器５０に出力した後、映像記録再生部２から入力された番組ｄの映像データを所定形式の映像信号に変換して表示器５０に出力する。
【００４０】
このように、映像出力部４からユーザ識別画像、再生映像が順に出力されるので、ユーザは再生映像がどのユーザにより記録されたかを容易に確認することができる。
【００４１】
また、ユーザ識別キーを操作部に備えることにより、このユーザ識別キーを押すだけでユーザ識別情報を制御部に送信することができ、制御部はユーザを識別することができるので、容易な操作で簡単にユーザの識別を行うことができる。
【００４２】
また、ユーザ識別キーに映像記録開始命令を送信する機能を持たせることにより、ユーザ識別情報と映像記録開始命令とを１つの釦操作で行うことができるので、容易な操作で簡単にユーザの識別と映像記録を行うことができる。
【００４３】
なお、上述の説明では、ユーザ識別画像データをメモリ１１に記憶した例を示したが、図３（ｂ）に示すように、ハードディスク３０を映像記録領域３００とユーザ識別画像記録領域３３０とに分割することで、ハードディスク３０にユーザ識別画像データを記録しておくことも可能である。
【００４４】
この場合、ユーザ識別画像記録領域３３０では、ユーザ識別データとユーザ識別画像データとが関連付けされて記録されており、例えば、図３（ｂ）のように、ユーザＡの識別画像データの記録領域３３１ｂに対する先頭領域３３１ａにユーザＡのユーザ識別データを記録する。そして、ユーザＢ〜ユーザＥに対しても同様に、各識別画像データの記録領域３３２ｂ，３３３ｂ，３３４ｂ，３３５ｂのそれぞれの先頭領域３３２ａ，３３３ａ，３３４ａ，３３５ａにユーザＢ〜ユーザＥのそれぞれのユーザ識別データを記録する。
【００４５】
そして、ユーザから再生操作が入力されると、制御部１は再生命令を映像記録再生部３に出力し、図３（ｂ）示す内容で記録されている場合には、映像記録再生部３は、次に示すようにユーザ識別画像データ、映像データを交互に映像出力部４に出力する。
【００４６】
映像記録再生部３は、ハードディスク３０の映像記録領域３００を読み出し、領域３０１ａのユーザＡのユーザ識別データを取得すると、ユーザ識別画像記録領域３３０を検索して、ユーザＡに対応する領域３３１ａを検出し、これに対応する領域３３１ｂの識別画像データ（画像Ａ）を読み出し、映像出力部４に所定時間に亘り出力する。次に映像記録領域３００の領域３０１ｂに記録されている番組ａのディジタル映像データを読み出して映像データに変換し、画像Ａの出力が終了するとともに映像出力部４に出力する。そして、番組ａの映像データの出力が終了すると、画像Ｂを読み出して所定時間に亘り映像出力部４に出力し、これに引き続き番組ｂの映像データを映像出力部４に出力する。以下、番組ｃ、番組ｄについても同様の動作を繰り返し、画像Ａ、番組ｃ、画像Ｅ、番組ｄの順に映像出力部４に識別画像データおよび映像データを出力する。
【００４７】
また、上述の説明では、ユーザ識別キーに映像記録開始の機能を兼用させたが、ユーザ識別キーをユーザ識別情報の送信にのみ使用することもできる。
【００４８】
この場合、再生時にユーザ識別キーを操作することで、このユーザ識別キーで識別されたユーザが記録した映像を優先して再生することもできる。例えば、図５に示すように、ユーザＡが再生操作とともにユーザ識別キー６２ａを操作することで、制御部１に再生命令とユーザ識別情報とが送信される。制御部１はこの再生命令およびユーザ識別情報（ユーザＡ）を映像記録再生部２に出力する。映像記録再生部２は入力されたユーザ識別情報（ユーザＡ）に基づいて、ハードディスク３０に記録されているユーザＡが記録したディジタル映像データ（番組ａ、番組ｃ）を検出する。そして、ユーザＡの識別画像データ（画像Ａ）を映像出力部４に所定時間出力した後、番組ａ、番組ｃの映像データを映像出力部４に出力する。そして、その後、他のユーザ（ユーザＢ、ユーザＥ）の識別画像データ（画像Ｂ、画像Ｅ）および映像データ（番組ｂ、番組ｄ）をユーザ毎に順に出力する。なお、映像記録再生部２は該当するユーザ（この場合、ユーザＡ）のみの映像データを再生して出力してもよい。
【００４９】
このような構成とすることで、ユーザは、自ら記録した映像を優先的に視聴し、確認することが容易にできる。
【００５０】
なお、上述の説明では、識別画像データは、予めメモリまたはハードディスクに記録されている画像データを、各ユーザ識別情報に割り当てて使用したが、自らでこの識別画像データを編集することも可能である。例えば、ハードディスクに複数種類の写真や模様などの素材を記録しておき、操作部を用いてこれらの素材を組み合わせて、ハードディスクのユーザ識別画像記録領域に保存することにより、オリジナルの識別画像データを形成することができる。また、外部入力部５よりディジタルカメラからの画像データ等を入力してこれにより、ハードディスクのユーザ識別画像記録領域に保存することにより、オリジナルの識別画像データを形成することもできる。これにより、ユーザはさらに容易に記録した映像がどのユーザにより記録されたかを確認するとともに、自ら記録した映像を容易に確認することができる。
【００５１】
また、上述の説明では、ハードディスク（磁気ディスク）を記録媒体とする映像記録再生装置について説明したが、ＤＶＤ等の光ディスクを記録媒体とする映像記録再生装置についても上述の構成を適用することができる。また、磁気テープに直接識別画像と映像とを記録していくことで、ビデオテープを用いた映像記録再生装置についても上述の構成を適用することができる。
【図面の簡単な説明】
【００５２】
【図１】本発明の実施形態に係る映像記録再生装置の主要部の構成を示すブロック図
【図２】本発明の実施形態に係るリモコンの概要を示す外観斜視図
【図３】記録媒体に記録されているデータを模式化した図
【図４】記録された映像を再生した場合に出力される画像および映像のタイムチャートを示す概要図
【図５】記録された映像を再生した場合に出力される画像および映像のタイムチャートを示す他の概要図
【符号の説明】
【００５３】
１−制御部
２−テレビジョン放送受信部
３−映像記録再生部
４−映像出力部
５−外部入力部
６−操作部
１１−メモリ
３０−ハードディスク
５０−表示器
５１−アンテナ
６０−リモコン
６１−リモコン６０の電源キー
６２ａ〜６２ｅ−ユーザ識別キー
３００−映像記録領域
３０１ａ〜３０４ａ−ユーザ識別情報記録領域
３０１ｂ〜３０４ｂ−ディジタル映像データ記録領域
３３０−ユーザ識別画像記録領域
３３１ａ〜３３５ａ−ユーザ識別情報記録領域
３３１ｂ〜３３５ｂ−ユーザ識別画像データ記録領域
【図１】
2006013937.tif 000003
【図２】
2006013937.tif 000004
【図３】
2006013937.tif 000005
【図４】
2006013937.tif 000006
【図５】
2006013937.tif 000007